(57)【要約】【課題】  春期に平地で根の生長及び分けつ（根に近い茎の関節から枝分かれすること）に繋がるように植物ホルモン作用を利用することにより、芝生の育成管理に要する費用を安く、且つ農薬の使用量を削減した寒地型芝生（ベント類）の育成管理方法を提供する。【解決手段】  なぜ寒地型芝生は平地において夏期に生長（生育）しないのか、その理由は寒地型芝生は夏には伸びない物だという固定観念があり、管理面の改善を怠った結果である。しかし、標高の高いところでは成長し健全に生育しているという現実がある。それならば平地でも標高の高いところと同じ状態になるように育成方法を変更すればよい筈である。それには育成環境の改善を行い、入梅から夏期中に涼しい状態の土壌中まで根を伸長させておけば良いことになる。それには、春期間中に葉の部分の成長を抑え、根が深い所まで伸びるようにすれば可能である。即ち、水分と空気が深い所まですばやく浸透する様にしなければならない。【選択図】      なし【特許請求の範囲】
【請求項１】
平地に育成する寒地型芝生の育成方法であって、春期間中に前記寒地型芝生の葉の部分の成長を抑制することにより、前記寒地型芝生の根を当該寒地型芝生を植栽した土壌深部まで伸長させるようにしたことを特徴とする寒地型芝生育成方法。
【請求項２】
前記春期間中に前記寒地型芝生の葉の部分の成長を抑制するために、当該寒地型芝生が備える植物ホルモンであるオーキシンの制御とジベレリンの作用を利用することを特徴とする請求項１に記載の寒地型芝生育成方法。
【請求項３】
前記春期間中に前記寒地型芝生の葉の部分の成長を抑制するために、当該寒地型芝生が備える植物ホルモンであるオーキシンの制御とジベレリンの作用を利用するに際して、フミン酸を使用することにより、カルシウム及びマグネシウムの対比率及び炭素の量、酸素の土壌中の量を制御したことを特徴とする請求項１又は２に記載の寒地型芝生育成方法。
【請求項４】
前記フミン酸の組成比率は、カリ（Ｋ）８．５％、炭素（Ｃ）４２％、酸素（Ｏ）２５％、全窒素（Ｎ）１．０％、可溶性酸化カリウム（Ｋ２Ｏ）１３．４７％、有効リン酸（Ｐ２Ｏ５）０．０２％、カルシウム（Ｃａ）２．２２％、マグネシウム（Ｍｇ）０・５％、全硫黄（Ｓ）ｌ．６８％、ホウ素（Ｂ）０．０２％、鉄（Ｆｅ）１．１５％、マンガン（Ｍｎ）０．０２％、チタン（Ｔｉ）０．０２％であることを特徴とする請求項３に記載の寒地型芝生育成方法。
【請求項５】
前記春期間中に前記寒地型芝生の葉の部分の成長を抑制するために、３月上旬に前記フミン酸１ｃｃ／ｍ２、３月中旬に前記フミン酸１ｃｃ／ｍ２、肥料（５−７−６）３．５ｃｃ／ｍ２、魚粗０．５ｃｃ／ｍ２、４月上、中旬にエアレイション３／８  １回、中旬に肥料（１２−１２−１２）１．５ｃｃ／ｍ２、下旬に徹量要素１．５ｃｃ／ｍ２、ホーソ０．５／ｍ２、肥料（５−７−６）３．５ｃｃ／ｍ２、５月中旬にフミン酸１ｃｃ／ｍ２、微量要素２．５ｃｃ／ｍ２を前記寒地型芝生を植栽した土壌中に与えることを特徴とする請求項１乃至４の何れか一項に記載の寒地型芝生育成方法。
【請求項６】
前記寒地型芝生を植栽した土壌を、弱酸性（ｐＨ６．０〜６．８）にすることを特徴とする請求項１乃至５の何れか一項に記載の寒地型芝生育成方法。
【発明の詳細な説明】
【技術分野】
【０００１】
本発明は、寒地型芝生育成方法に関し、さらに詳しくは、平地における寒地型芝生の生育環境を作り出す育成方法に関するものである。
【背景技術】
【０００２】
従来からゴルフ場等の寒地型芝生（ベント類）の平地での育成管理は、寒地型芝生を生長、生育させるために最も良いとされている時期、即ち、春期（３月〜５月）及び秋期（９月〜１０月）に管理メンテナンスによりエアレイション、サッチングなどの更新作業を施して一年間を送ることを通常としている。（但し、標高６００〜８００ｍ位の高地の場合を除く。）
ではなぜ、従来その時期にメンテナンス、更新作業をするかといえば、寒地型芝生は夏期には生長しないものであるという固定観念から、春から入梅、夏期に向けての維持を重点的に行い、秋期は夏期の疲れの回復と冬期（生長がにぶい時期）スリキレ防止に重点を置いていたためである。しかも、わが国は高温多湿であるため、コースメンテナンスで最も神経を使う時期は、やはり入梅から夏に掛けての時期であり、この時期、特にグリーンメンテナンスでは、一年間の経費の７〜８割を使い、病害虫類駆除のために多量の農薬を使用せざるを得ないのが現状である。しかし、入梅から夏に掛けての高地においては、同じ病気でも平地より被害が少なくて済む場合が多く、その理由として、高地では一日の気温が日中は高いが朝晩は下がるため、植物にとっては住みやすい環境にあるから、と考えられる。
上記病害虫類駆除の従来技術として、同一出願人による特開平１０−０９４３２２号公報には、ドライスポットなどが発生した箇所の芝草を良好な状態に回復させることができる芝育成方法について開示されている。
また、農薬使用量を削減する従来技術として、同一出願人による特開平１０−２４８３８６号公報には、多量の肥料や、農薬を使用することなく、土壌微生物を活発にして土壌を回復、維持することができ、それによって植物本来の活力を十分に発揮させて植物を育成することができる植物育成方について開示されている。
【特許文献１】特開平１０−０９４３２２号公報
【特許文献２】特開平１０−２４８３８６号公報
【発明の開示】
【発明が解決しようとする課題】
【０００３】
しかし、入梅（梅雨入り）から夏に掛けての高地（標高６００〜８００ｍ以上）においては、芝が同じ病気に感染したとしても、平地で感染した場合よりも被害が少なくて済むにもかかわらず、従来の寒地型芝生（ベント類）の平地での育成管理方法では、病害虫類の駆除のために多量の農薬を使用するため、その育成管理のために一年間の維持管理費の７〜８割を費やす必要があり、経費上のやりくりが困難となりゴルフ場の経営を圧迫する大きな原因となるばかりでなく、また農薬による環境破壊を引き起こすといった問題がある。
また特許文献１に開示されている従来技術は、発根促進材を散布することにより芝草の根の成長を促して、撥水層の下の保水層中まで根を成長させる技術であり、特に、ドライスポットなどが発生した箇所の芝草を良好な状態に回復させることを主としたものである。従って、土壌改良といった根本的な方法ではなく、グリーンメンテナンスにおける上記課題を解決するまでには至っていない。
また特許文献２に開示されている従来技術は、植物活性化液を土壌に散布することにより、土壌中において酵母菌及び放線菌がしょ糖を摂取して増殖し、順次その中の何割かが死んで常時菌の死骸が発生し、その死骸を養分として植物の発育を促す技術であり、肥料の散布量を大幅に削減できると共に、農薬の散布量も大幅に減らすことはできるが、平地での寒地型芝生（ベント類）の育成管理を改善する技術については言及していない。
本発明は、かかる課題に鑑み、春期に平地で根の生長及び分けつ（根に近い茎の関節から枝分かれすること）に繋がるように植物ホルモン作用を利用することにより、芝生の育成管理に要する費用を安く、且つ農薬の使用量を削減した寒地型芝生（ベント類）の育成管理方法を提供することを目的とする。
【課題を解決するための手段】
【０００４】
本発明はかかる課題を解決するために、請求項１は、平地に育成する寒地型芝生の育成方法であって、春期間中に前記寒地型芝生の葉の部分の成長を抑制することにより、前記寒地型芝生の根を当該寒地型芝生を植栽した土壌深部まで伸長させるようにしたことを特徴とする。
従来の平地での寒地型芝生の育成方法では、夏期には生長しないものであるという固定観念があったため、春から入梅、夏期に向けての維持を重点的に行っていた。しかし、高地においては同じ時期に生長して健全に育成していることに注目して、本発明では、春期間中に寒地型芝生の葉の部分の成長を抑制することにより、そのエネルギーを根に向けさせ、寒地型芝生の根を植栽した土壌深部まで伸長させるようにしたものである。
かかる発明によれば、春期間中に寒地型芝生の葉の部分の成長を抑制するので、その余剰エネルギーが根に向かい寒地型芝生の根を植栽した土壌深部まで伸長させることができる。
請求項２は、前記春期間中に前記寒地型芝生の葉の部分の成長を抑制するために、当該寒地型芝生が備える植物ホルモンのオーキシンの制御とジベレリンの作用を利用することを特徴とする。
従来の作業工程を根本から見直すためには、植物の生長ホルモンのバランスと植物の吸収のメカニズムを知ることが重要である。その中で、最も過酷な時期までにジベレリン、オーキシン作用（空気と水分バランス）すなわち植物ホルモン作用をいかに引き出すかが重要である。そして春期に葉及び茎が生長しないようにするにはオーキシンのコントロールとジベレリンの作用を利用することである。
かかる発明によれば、春期間中に寒地型芝生の葉の部分の成長を抑制するために、この寒地型芝生が備える植物ホルモンのオーキシンの制御とジベレリンの作用を利用するので、植物本来のホルモン作用により葉の部分の成長を抑制することができ、肥料と農薬の散布量を減少することができる。
【０００５】
請求項３は、前記春期間中に前記寒地型芝生の葉の部分の成長を抑制するために、当該寒地型芝生が備える植物ホルモンのオーキシンの制御とジベレリンの作用を利用するに際して、フミン酸を使用することにより、カルシウム及びマグネシウムの対比率及び炭素の量、酸素の土壌中の量を制御したことを特徴とする。
植物ホルモンの作用を利用することにより、上に伸びようとする力を根及び分けつのために振り向け、上部の伸長に必要な約１／３の量のエネルギーで根の生長を行うことができる。それを実現するためにフミン酸を使用すると、カルシウム及びマグネシウムの対比率及び炭素の量、酸素の土壌中の量に深い関係があることがわかった。これにより、寒地型芝生の最も生長が悪いとされている時期に、根を生長させる仕組みが成り立ち、農薬などの使用量を通常の１／４にすることができる。
かかる発明によれば、フミン酸を使用することにより、カルシウム及びマグネシウムの対比率及び炭素の量、酸素の土壌中の量を制御したので、寒地型芝生の最も生長が悪いとされている時期に、根を生長させる仕組みが成り立ち、農薬などの使用量を通常の１／４にすることができる。
請求項４は、前記フミン酸の組成比率は、カリ（Ｋ）８．５％、炭素（Ｃ）４２％、酸素（Ｏ）２５％、全窒素（Ｎ）１．０％、可溶性酸化カリウム（Ｋ２Ｏ）１３．４７％、有効リン酸（Ｐ２Ｏ５）０．０２％、カルシウム（Ｃａ）２．２２％、マグネシウム（Ｍｇ）０．５％、全硫黄（Ｓ）ｌ．６８％、ホウ素（Ｂ）０．０２％、鉄（Ｆｅ）１．１５％、マンガン（Ｍｎ）０．０２％、チタン（Ｔｉ）０．０２％であることを特徴とする。
分解能を上げて活性化するためには、リグニンとセルロースを分解する必要がある。そのためには、カルシウムとリン酸を引き離すことが必要である。それを実現するためにはフミン酸が最適である。本発明のフミン酸は腐植酸類から誘導された長鎖の高度に置換された分子構造からなっている。これらの腐植酸類はキレート類に極めて似ている栄養素類とユニークな錯体を形成する。この新しい錯体は活性が高く、容易に根に吸収される。また炭素の含有量が大きいので、有益な土壌の微生物類を刺激する。また、生長を促進するために組成中に酸素が多く必要である。その意味でも本発明のフミン酸は市場に出回るもので最も多くの酸素を含んでいる。
かかる発明によれば、本発明のフミン酸は、腐植酸類から誘導された長鎖の高度に置換された分子構造からなっているので、生長を促進するために組成中に酸素を多く含み活性が高く容易に根に吸収され、また炭素の含有量が大きいので、有益な土壌の微生物類を刺激することができる。
【０００６】
請求項５は、前記春期間中に前記寒地型芝生の葉の部分の成長を抑制するために、３月上旬に前記フミン酸１ｃｃ／ｍ２、３月中旬に前記フミン酸１ｃｃ／ｍ２、肥料（５−７−６）３．５ｃｃ／ｍ２、魚粗０．５ｃｃ／ｍ２、４月上、中旬にエアレイション３／８  １回、中旬に肥料（１２−１２−１２）１．５ｃｃ／ｍ２、下旬に徹量要素１．５ｃｃ／ｍ２、ホーソ０．５／ｍ２、肥料（５−７−６）３．５ｃｃ／ｍ２、５月中旬にフミン酸１ｃｃ／ｍ２、微量要素２．５ｃｃ／ｍ２を前記寒地型芝生を植栽した土壌中に与えることを特徴とする。
かかる発明によれば、春期間中に前記寒地型芝生の葉の部分の成長を抑制するために、本発明の手順でフミン酸を土壌中に与えることで、農薬、肥料の使用を抑えることができ結果的に農薬施肥量の減少に繋がり環境を壊すことなく自然に近い状態で芝草の管理メンテナンスを正しく理解することが可能になった。
請求項６は、前記寒地型芝生を植栽した土壌を、弱酸性（ｐＨ６．０〜６．８）にすることを特徴とする。
わが国の土壌は酸性土壌であるため、リン酸カルシウムなどを土壌が一度吸収したら離さない性質を持っている。そのために病害に犯されやすい環境が作り出されている。この土壌を弱酸性（ｐＨ６．０〜６．８）にするには、以前は堆肥などの有機物を土壌中に鋤きこみ土壌環境を改善してきたが、今日では化学肥料などの使用により「土の力」がなくなり、植物の生育面が非常に悪い状態となり農薬に頼らざるをえない環境になってしまった。これを改善するためには腐植の量を増加させることが大切である。そこでフミン酸という自然界の中に有する物質の使用により、土壌微生物の活動をスムーズにし、土に本来の力を与えることができる。
かかる発明によれば、寒地型芝生を植栽した土壌を、弱酸性（ｐＨ６．０〜６．８）にするので、土壌微生物の活動をスムーズにし、土に本来の力を与えることができる。
【発明の効果】
【０００７】
請求項１の発明によれば、春期間中に寒地型芝生の葉の部分の成長を抑制するので、その余剰エネルギーが根に向かい寒地型芝生の根を植栽した土壌深部まで伸長させることができる。
また請求項２では、春期間中に寒地型芝生の葉の部分の成長を抑制するために、この寒地型芝生が備える植物ホルモンのオーキシンの制御とジベレリンの作用を利用するので、植物本来のホルモン作用により葉の部分の成長を抑制することができ、肥料と農薬の散布量を減少することができる。
また請求項３では、フミン酸を使用することにより、カルシウム及びマグネシウムの対比率及び炭素の量、酸素の土壌中の量を制御したので、寒地型芝生の最も生長が悪いとされている時期に、根を生長させる仕組みが成り立ち、農薬などの使用量を通常の１／４にすることができる。
また請求項４では、本発明のフミン酸は、腐植酸類から誘導された長鎖の高度に置換された分子構造からなっているので、生長を促進するために組成中に酸素を多く含み活性が高く容易に根に吸収され、また炭素の含有量が大きいので、有益な土壌の微生物類を刺激することができる。
また請求項５では、春期間中に前記寒地型芝生の葉の部分の成長を抑制するために、本発明の手順でフミン酸を土壌中に与えることで、農薬、肥料の使用を抑えることができ、結果的に農薬施肥量の減少に繋がり環境を壊すことなく自然に近い状態で芝草の管理メンテナンスを正しく理解することができる。
また請求項６では、寒地型芝生を植栽した土壌を、弱酸性（ｐＨ６．０〜６．８）にするので、土壌微生物の活動をスムーズにし、土に本来の力を与えることができる。
【発明を実施するための最良の形態】
【０００８】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
まず本発明の平地における寒地型芝生育成方法の概要について説明する。なぜ寒地型芝生は平地において夏期に生長（生育）しないのか、その理由は寒地型芝生は夏には伸びない性質を有する、という固定観念があり、管理面の改善を怠った結果である。しかし、標高の高いところでは成長し健全に生育しているという現実がある。それならば平地でも標高の高いところと同じ状態になるように育成方法を変更すればよい筈である。それには育成環境の改善を行い、入梅から夏期中に涼しい状態の土壌中まで根を伸長させておけば良いことになる。それには、春期間中に葉の部分の成長を抑え、根が深い所まで伸びるようにすれば可能である。即ち、水分と空気が深い所まですばやく浸透する様にしなければならない。それは、土壌中に投入する物質及び使用する資材まで考え直さなければならないことを意味している。
更に詳細に本発明の理論を説明すると、高地で寒地型芝生が元気に生育しているのなら、平地でも高地と同じ生育環境を作り出すことではできないだろうかというのが本発明の出発点である。その生育環境を作り出すためには、土壌中に解決策があるのではないかと考え、植物の生理作用、化学性、物理性、成長面から考察した。
【０００９】
まずどの様にすれば一年中良い環境、生育に適した環境が作り出せるのか。それには平地で夏期期間中に生長面、生育面を最良の状態にいかに整えるかが重要である。即ち、根の伸長をどの時期に生長させ、どの時期に茎の部分、葉の部分及び分けつを促すかの理論を作り出さなければならない。まずそれには植物の生長ホルモンのバランスと、植物の吸収のメカニズムを知ることが重要である。つまり「オーキシン」「ジベレリン」「サイトカイニン」及び「ビタミンＢ複合体」と「アブシジン酸作用」の４項目からなる植物ホルモンの作用をいかにコントロールすれば良いのかということである。
そこでゴルフコースのグリーンを例にとると、ゴルフコースのグリーンは今日では「サンド化」が進んで通年洋芝（ベント類）を使用しており、夏期中に最も悪い状態にならないようにするために、高地に近い環境を作り出すマニュアル作りを実践しなければならない。そのためには土壌中の植物根、すなわち根を地下何センチまで伸ばすか、最も過酷な時期までにジベレリン、オーキシン作用（空気と水分バランス）すなわち植物ホルモン作用をいかに引き出すかである。即ち、春期に葉及び茎が生長しないようにするにはオーキシンのコントロールとジベレリンの作用を利用することで、植物中の栄養（脂肪、アミノ酸その他の物質）バランスをＲＮＡ（ｔ−ＲＮＡ）及びデオシキリボ（ＤＮＡ）核酸、養分のコントロールが重要であり、春期（平地で）３月〜５月までの期間中、根の生長及び分けつに繋がるように植物ホルモン（オーキシン、ジベレリン）作用を利用した。
【００１０】
即ち、上に伸びようとする力のエネルギーを根及び分けつのために使うように促し、上部の伸長の約１／３の量のエネルギーで根の生長を行なうシステムを構築する。また、サイトカイニンとビタミンＢ複合体、アブシジン酸作用をコントロールした。結果的に、３月〜５月（６月中旬）までは土壌中を中心に作り、その後葉茎の部分を生長させるということになる。すなわち６月２０日〜９月２０日までの寒地型芝生の最も生長が悪いとされている時期に生長させる仕組みが成り立った訳である。これにより農薬などの使用量が通常の１／４にすることができた。
その最大の要因は、フミン酸の使用により、カルシウム及びマグネシウムの対比率及び炭素の量、酸素の土壌中の量に深く関係していることが判明した。このようにして夏期中を送り、秋期に入る９月２０日（下旬）ごろより、また春期ほどではないにしろ春期に近い（秋期は栄養分の確保）状況が作り出される。
【００１１】
また植物ホルモンは植物体の中心で作られ、植物の生長を制御する物質である。オーキシンとは、茎の細胞の伸長生長を促進する性質を持った植物生長物質で、天然オーキシンは植物が自分の体内で作った物質である（天然オーキシンとは植物体内に見出されたオーキシンをいう。）。
ここで本発明の平地における寒地型芝生育成方法に使用したフミン酸の年の使用事例を説明する。３月上旬にフミン酸１ｃｃ／ｍ２、３月中旬にフミン酸１ｃｃ／ｍ２、肥料（５−７−６）３．５ｃｃ／ｍ２、魚粗０．５ｃｃ／ｍ２（４月上、中旬にエアレイション３／８  １回）中旬に肥料（１２−１２−１２）１．５ｃｃ／ｍ２、下旬に徹量要素１．５ｃｃ／ｍ２、ホーソ０．５／ｍ２、肥料（５−７−６）３．５ｃｃ／ｍ２、５月中旬にフミン酸１ｃｃ／ｍ２、微量要素２．５ｃｃ／ｍ２のように年間３月〜１１月まで実施することで、農薬、肥料の使用を抑えることができ結果的に農薬施肥量の減少に繋がり環境を壊すことなく自然に近い状態で芝草の管理メンテナンスを正しく理解することが可能となった。これにより、今日管理されているような農薬漬けのメンテナンスが減り、より自然なゴルフコースを作り上げることが可能となった。
また、わが国は酸性土壌でありリン酸カルシウムなどを土壌が一度吸収したら離さない土壌である。そのために病害に犯されやすい環境が作り出されている。この土壌を弱酸性（ｐＨ６．０〜６．８）にするには、以前は堆肥などの有機物を土壌中に鋤きこみ土壌環境を改善してきたが、今日では化学肥料などの使用により「土の力」がなくなり、植物の生育面が非常に悪い状態となり農薬に頼らざるをえない環境になってしまった。これを改善するためには腐植の量を増加させることが大切である。フミン酸という自然界の中に有する物質の使用で、土壌微生物の活動をスムーズにし、土に本来の力を与えることができる。
【００１２】
図１は本発明のフミン酸（腐植酸）（商品名：腐植元Ｕ）の成分比を表す図である。腐植元Ｕは腐植酸類から誘導された長鎖の高度に置換された分子構造からなっている。これらの腐植酸類はキレート類に極めて似ている栄養素類とユニークな錯体を形成する。この新しい錯体は活性が高く、容易に根に吸収される。また炭素の含有量が大きいので、有益な土壌の微生物類を刺激する。そして９３〜９８％水溶性で、その他の乾燥、可溶性肥料類と混合が可能である。
また毒性については、急性経口ＬＤ／５０：オス、メス共に自変種率が５０００ｍｇ／ｋｇ以上、急性皮膚ＬＤ／６０：ニュージーランド白兎が２ｇｍ／ｋｇで、皮膚刺激薬ではない。使用量は、１０００坪当たり３７０〜７４０グラムをばら撒き、７〜１４％の腐植酸の処方には、１０００坪について３リットル水当たり腐植元Ｕを３７０〜７４０グラムの割合で使用する。
ここで腐植（真の保肥力）について説明する。腐植はマイナスの磁力（場）をもっている。土壌中で腐植は鉄、アルミニウム、重金属イオンなどの強いプラスイオンを吸着し、リン酸を分解することによってリン酸の吸収改善を促す。そして石灰や苦土とイオン結合を起こし不溶性（化）物質になっている。リン酸を分離して可溶化し、Ｃａ、Ｍｇは腐植の磁力（場）に吸着、この働きは一般にいわれるような腐植がもつＣＥＣ（詳細は後述する）だけでは説明ができないと考えている。特異な磁力（場）を持つ腐植は重金属やアルミ、鉄のような２価のイオンを強く吸着してその活性を抑え、そのうえでＣａ、Ｍｇ、そして窒素（Ｎ）カリ（Ｋ）さらにはリン（Ｐ）も吸着している。このような各種イオンを分離吸着し、イオンの構造を植物の根が吸収しやすいように整えるところに、腐植の秘密がある。腐植が連作障害土壌や塩基濃障害土壌で果たしている役割がより明確に判断・判明されるのではないかと考えている。
次にＣＥＣについて説明する。ＣＥＣすなわち土壌の陽イオン交換能力は、アルミナ類・不溶性塩基類・水溶性塩基類、未熟有機物で満杯となり正常な機能を失った見かけの保肥力となっていると考えるとわかりやすい。窒素は保肥されずに土壌溶液中に高濃度で動きまわり、その後急速に流亡する。それが窒素飢餓に結びつく。利用される（投入量）肥料の３／４が分解に利用される。
【００１３】
次に、フミン酸（腐植酸）の土壊中の作用について説明する。フミン酸を液剤ないし粒剤で投入すると、分析（米国、土壌の化学分析）では、カルシウムとマグネシウムが土壌中１６〜４６ｃｍまで移動することが明らかになり、葉のサンプル分析では、亜鉛とリンの吸収量が増加していることがわかった（ただし、基準値が記述されていないため正確な数値は不明）。窒素とカリの移動イオンの急速な浸透がコロイド構造に抑えられて起らないという指摘もある（肥料分の遅吸）。
特に液体肥料と混合散布は、粘着率が普通の肥料散布時より混合し、散布（水に懸濁しての時）した方が、肥料及び微量元素などの吸着が起き散布回数、使用量の減につながり、芝草の活性及び生育が良好になり、生育に適した状況が作り出されるものと考えられる。また酸素が土壌中にスムーズに浸透するために、土壌中の微生物の活性が高まり、生育している植物体が非常に少ないストレスで生活観が得られるものと推測される。今まで、吸収がなかなか起きずに残ってしまい（たとえば、リン、カリ）、土壌中に蓄積された物質までも徐々に分解吸収、使用され、生育面、生活面が良くなり減肥減農薬につながる。
腐植元Ｕについて、上記内容を理解して使用する場合には、平米当りの使用量は通常０．５ｃｃ〜１．５ｃｃ（有機肥料、化学肥料混合）を１，０００リットルの水に投入し、月に１〜２回散布するだけで非常に環境面（土壌中の改善）が改善され、特に根圏の充実が進む。また腐植原Ｕ（腐植Ｇ）は、アルカリ性条件下での土壌の緩衝性と金属イオン（微量元素）のキレート化を向上させることができる。
またフミン酸（腐植酸）のフラクションも微生物の基質となることで、生物化学的にも生長を促進し、植物体内で作り出されるオーキシン、ジベレリン、脂肪族アミノ酸類及び有機リン酸塩を徐々に放出しつづけ、植物が本来もっている生長及び生育環境を直接促進する。それに、多くのミネラル元素を、植物がスムーズに利用可能になる様に変化させる傾向が見られ、リン酸塩の放出を促し吸収をスムーズにした上で、植物ホルモン（オーキシン、ジベレリン）をコントロールし、最も適した形で吸収し使用できる。またフミン酸（腐植酸）の存在下でのリン酸塩の利用率も増加すること証明できる。フミン酸（腐植酸）がもし存在しない場合には、鉄とリンは不溶性の沈殿物となり、ブラックレイヤー及び白化現象（ネクローシス）を起し、生育に非常に不都合を呈する。フミン酸（腐植酸）は、鉄の低分子の借体を形成することで、鉄成分の本来の機能で細胞膜を転流し鉄の移動性を増加することで、病害に犯されにくくなり減農薬につながることになる。
【００１４】
ここで、水溶性石灰と腐植酸の関係について述べる。水溶性石灰を元肥にやっては、初期生育に欠かせない栄養であるリン酸までもが不溶化してしまい、結果的には生育期間にわたって効かせたい大事な水溶性石灰も不溶化してしまう。火山灰を土台としている日本の土壌は世界的に見ても石灰のとぼしい土壌であることが知られている。ヨーロッパの土壌と日本の土壌では石灰量で４倍の差がある。さらに植物に吸収されている石灰量は実に２０倍の差があり、ヨーロッパは石灰の量だけではなく、溶かせる石灰にいかに恵まれているかがわかる。そのため、日本の土壌には腐植酸の施用が大切である。腐植酸を散布（投入）することにより、植物体が石灰を吸収しやすい環境にすることが日本の土壌にかかせないことである。即ち、腐植（酸）のもつマイナスイオン効果を利用することにより、植物の生育に働きかけることが最も重要であり病害にかかりにくい環境作りになるのである。
例えば、通常カルシウム（石灰）１０：マグネシウム（苦土）５：カリ２ということが言われているが、これは正常な土壌条件（状態）における、土壌中に対してのイオンの溶解度を意味する比率である。良い土壌とはこの比率で養分を保持するが、それを吸着する芝草（作物）はそれぞれ要求量の比率が異なっている。吸収されてももとの養分の比率が調整できるのが土壌の働きである。
このように窒素とリン酸が一緒に効くことで、根の細胞が作られ、組織が作られ、増して行く。そしてカルシウムが細胞を硬くし、こうすることで芝草は丈夫で健康に根を生長させ根を伸ばす。親が葉を十分に生育した後にゆっくり芝草は量を増していく。分けつの芽は多くできていても伸びは遅くなる。普通芝草類は、リン酸もカルシウムの肥効は低い。それに農薬を使うため、根に影響を受け、根が伸びずに地上部ばかりが繁茂することになる。過繁茂は窒素が多いことばかりが原因ではない。根ができないから葉と茎が伸びる。農薬を使うことが減少することにより健全に生育するので、必要以上の施肥もいらなくなる。強いマイナスイオンが土壌中で作り出されれば、陽イオン交換能力が発揮されて、窒素などの肥料を要求にあわせて供給すれば良いことになる。
【００１５】
（実施例１）
次に夏期中（５〜８月）の芝（寒地型、暖地型）に腐植元Ｕを使用した実施例について説明する。尚、この説明では腐植元Ｕを腐植酸と呼ぶ。
５月上旬乾燥が続き、グリーン面の芝草は根張りの悪い部分に乾きがでてきた。それに伴い土壌浸透剤の散布が必要となり部分的に（スポット処理）投入する。その後、生育面で良くない部分に腐植酸と浸透剤の混合剤のスポット及び前面処理を行う。毎年生育が悪いところに投下した（腐植酸２．５ｃｃ〜１．２５ｃｃ、浸透剤２ｃｃ／ｍ２）中旬に肥料、微畳要素を投入した。下旬に殺菌剤、肥料、カルシウム各０．５ｃｃ／ｍ２散布、５月中の状態は上中旬に部分的に葉枯病、ダラースポット病が発生する。殺菌剤はカシマン液剤０．５ｃｃ／ｍ２タフシーバＦ０．５ｇ、チルミント０．５ｇ／ｍ２５月中は根部中心に投入物を使用（シリカグラス、腐植酸、アミノ酸、活力剤）。特に下旬にスーパーグリーン（キトサン）、サンピプラス、微量要素各剤を使用した。結果は、昨年より良い状態だった。５月中旬に腐植酸を使用した箇所は非常に良い（６月上旬）その為根部（土壌中）の分解が進んでいないところに腐植酸０．５ｃｃ／ｍ２、浸透剤０．５ｃｃ／ｍ２散布。タンクミックス（１，０００リットル当り２リットル各投入した）。
６月１０日前後に入梅に入り、藻の発生が見られた。スポット処理にて対応した。６月中も葉面都より根部の根の量を重視の対処をした。その為、昨年の５月下旬〜６月上旬とは問題にならないくらい根の類が見出された。（昨年は１２〜１６本、本年は１８〜２０本）これは植物ホルモンの作用であろう。まずジベレリン作用で根部の伸長が見られ、植物体の機能を発揮し、葉部の成長により分けつが非常に良く、普通の年端春期１回又は１．５回くらいなのに、３回の分けつ根も下に（土壌中）１３〜１８ｃｍ、表面土壌部に１０本以上の根の発生が見られた。その為、病気、乾燥害の回復がスムーズに行なわれているようであり、通常乾燥病害の回復には、１０〜１５日間かかるのだが、３〜５日くらいで回復した。通常は根も害を受けるのであるが、本年はその様なことはなかった。やはり、根部（土壌中）の根を良く発達させた結果だと思える。藻の発生箇所は殺菌剤（ゴーレット１〜２ｃｃ／ｍ２）を散布、活力剤、肥料、腐植酸を各０．５ｃｃ／ｍ２散布。６月下旬より冷夏の様相を呈し、北東の冷たい風が断続的に続きあわせて日照不足による低温の日々が続き、曇りや雨の日が特に７月中・下旬に見られた。本年も１０年前の冷夏の時と同じようである。８月中旬には数日間夏の気温上昇が見られたが、また曇りや雨の日が続き気温が低く湿度が非常に高いことによる病気の発生が目に付くようであった。だが、腐植酸で春期より対策を行っているコースは、日照不足による病気の発生が軽微で、病気、乾燥が発生しても数日で回復し、その後の発生は見られない。従来のコース管理では、春期に葉茎部を生長、生育させているため、夏期には弱く病害虫にも掛かりやすく、発病すると回復が望めず今年のような冷夏で日照時間も少ない時は病気が完治することなく、だらだらとその状態が続き薬剤の使用量が増え、土壌中の微生物の活動が弱る。それを回避するためには春期中に根部を重視し健全に生育、生長できるようにすることがいかに重要であるかということである。
植物体（芝草）の生理面、活動面を日本の気温気候へ順応できるようにする、つまり普通の夏でも冷夏の場合でもどちらの気候でも芝草が柔軟に対応できるよう常に根部の生長を最重要としなければならない。そのためには、植物ホルモンのコントロール（ジベレリン、オーキシン、サイトカイニン、ビタミンＢ群複合体）を重視すれば、最も悪い期間（夏期、入梅）を乗り切ることができるのではないか。
【００１６】
（実施例２）
次に春期（グリーン面）作業  気候・生育の実施例について説明する。
５月２１日、春期グリーン内にエアレイション後に根量の充実を目標に行なった。現在の根部の状態は表面上、地下部ともに根の量は多い状態であり、茎の部分の伸びもなく、目砂の回数も昨年よりは少ない。（エアレイション時の日砂量は３０ｍ３で、昨年までは２回散布を行なったが、本年は１回ですり込みを通年で２回なのに、４回行い穴の中に砂及び資材をすり込んだ。その後、トップドレシッグ（１回当たり３ｍ３を２回行い現在に至る））を行う。これは根部充実させることが、入梅夏期時の生育に良い様に思い実施している。
また茎及び葉の部分に関しては、分けつを充実させていく事の大切さが、年間特に春期の管理では大切だと考える。肥料、農薬面でも少しでも経費の節減につながり、芝草の生長及び生育に良いのではと考えている。肥料、特に３要素といわれるＮ、Ｐ、Ｋの投下量に注意し、グリーン面のコロガリ（ステンプメーター）をいかにスムーズにするかを常に頭の中におき、投入物の使用量に注意を払い、月別及び年間の投入量を決めて来た。
図２は本発明の育成方法と従来の育成方法による寒地型芝生の根の生育の違いを示す図（写真）である。図２（ａ），（ｂ）は本発明の育成方法であり、図２（ｃ）は従来の育成方法である。図２（ａ），（ｂ）は同じ日に２箇所から採取したものであり、符号１は葉部、符号２は根部を表す。図２（ａ）の根部２の長さＬ１は長いほうで約１３ｃｍある。また図２（ｂ）の根部２の長さＬ２は長いほうで約１０ｃｍある。それに比べて図２（ｃ）根部２の長さＬ３は長いほうで約６ｃｍであり、明らかに図２（ａ），（ｂ）と比べて短いことが解る。
【図面の簡単な説明】
【００１７】
【図１】本発明のフミン酸（腐植酸）（商品名：腐植元Ｕ）の成分比を表す図である。
【図２】本発明の育成方法と従来の育成方法による寒地型芝生の根の生育の違いを示す図である。
【符号の説明】
【００１８】
１  葉部、２  根部
【図１】
2005168396.tif 000002
【図２】
2005168396.tif 000003